(57)【要約】【課題】車両の旋回時にて、死角領域がドライバーに与える影響を低減することにより、ドライバーの視界を確保できる車両用視界確保装置を提供すること。【解決手段】この車両用視界確保装置１は、車体を駆動してシャシーに対する車体角度ΔＸを制御する車体角度制御手段２と、ドライバーの視線角度φを検出する視線角度検出手段３とを有する。この車両用視界確保装置１では、車両の旋回時にて、ドライバーの視線角度φが車両の旋回方向に発生する所定の死角領域から外れるように、車体角度制御手段２が車体角度ΔＸを変化させる死角抑制制御を行う。【選択図】        図１
2008195162.tif 000002
【特許請求の範囲】
【請求項１】
車体を駆動してシャシーに対する車体角度ΔＸを制御する車体角度制御手段と、ドライバーの視線角度φを検出する視線角度検出手段とを有し、且つ、
車両の旋回時にて、ドライバーの視線角度φが車両の旋回方向に発生する所定の死角領域から外れるように、前記車体角度制御手段が車体角度ΔＸを変化させる死角抑制制御を行うことを特徴とする車両用視界確保装置。
【請求項２】
ステアリングの操舵角速度ｄθ／ｄｔが所定の閾値よりも小さいときに前記死角抑制制御が行われる請求項１に記載の車両用視界確保装置。
【請求項３】
車両の限界余裕が十分にあるときに前記死角抑制制御が行われる請求項１または２に記載の車両用視界確保装置。
【請求項４】
ドライバーが脇見運転をしていないと判断されるときに、前記死角抑制制御が行われる請求項１〜３のいずれか一つに記載の車両用視界確保装置。
【請求項５】
ドライバーの視線角度φの変化率が所定の閾値以下であり、且つ、ステアリングの操舵角の変化率が所定の閾値以下であるときに、前記死角抑制制御が行われる請求項１〜４のいずれか一つに記載の車両用視界確保装置。
【請求項６】
前記死角抑制制御時にてドライバーが脇見運転を行った場合にも、前記死角抑制制御が継続される請求項１〜５のいずれか一つに記載の車両用視界確保装置。
【請求項７】
前記死角抑制制御の終了後に車体角度ΔＸが徐々に原点位置に戻される請求項１〜６のいずれか一つに記載の車両用視界確保装置。
【請求項８】
ステアリングの操舵角速度ｄθ／ｄｔが所定の閾値以上となると車体角度ΔＸが略一定に維持される請求項７に記載の車両用視界確保装置。
【発明の詳細な説明】
【技術分野】
【０００１】
この発明は、車両用視界確保装置に関し、さらに詳しくは、車両の旋回時にて、死角領域がドライバーに与える影響を低減することにより、ドライバーの視界を確保できる車両用視界確保装置を提供することに関する。
【背景技術】
【０００２】
車両の旋回時にてドライバーが旋回方向を視認するときには、車両のピラーなどが障害物となって死角領域が発生することがある。かかる場合には、発生した死角領域によって対向車や歩行者の確認が遅くなるおそれがある。したがって、ドライバーの視界を確保して走行の安全性を高める観点から、死角領域がドライバーに与える影響を低減する必要がある。
【０００３】
かかる課題に関する従来の車両用死角確保装置には、特許文献１に記載される技術が知られている。従来の車両用死角確保装置（車両の推奨速度算出装置）は、車両の基本推奨速度を取得する基本推奨速度取得手段と、運転者の車両運転中の視認方向を推定する視認方向推定手段と、運転者の車両運転中の死角領域を判断する死角領域判断手段と、前記視認方向と前記死角領域との重なり状況に応じて、前記取得した基本推奨速度を補正する推奨速度補正手段とを備えることを特徴とする。
【０００４】
【特許文献１】特開２００５−１４８９３７号公報
【発明の開示】
【発明が解決しようとする課題】
【０００５】
この発明は、車両の旋回時にて、死角領域がドライバーに与える影響を低減することにより、ドライバーの視界を確保できる車両用視界確保装置を提供することを目的とする。
【課題を解決するための手段】
【０００６】
上記目的を達成するため、この発明にかかる車両用視界確保装置は、車体を駆動してシャシーに対する車体角度ΔＸを制御する車体角度制御手段と、ドライバーの視線角度φを検出する視線角度検出手段とを有し、且つ、車両の旋回時にて、ドライバーの視線角度φが車両の旋回方向に発生する所定の死角領域から外れるように、前記車体角度制御手段が車体角度ΔＸを変化させる死角抑制制御を行うことを特徴とする。
【０００７】
この車両用視界確保装置では、ドライバーの視認方向に死角領域が位置しないように、車体角度ΔＸが制御される。これにより、車両の旋回時にて、死角領域がドライバーに与える影響が低減されるので、ドライバーの視界が確保されて、歩行者や対向車などに対する安全確認が容易となる利点がある。
【０００８】
また、この発明にかかる車両用視界確保装置は、ステアリングの操舵角速度ｄθ／ｄｔが所定の閾値よりも小さいときに前記死角抑制制御が行われる。
【０００９】
死角時間が長いときにのみ車体角度ΔＸが変更されて死角抑制制御が行われるので、死角抑制制御が適正に行われる利点がある。
【００１０】
また、この発明にかかる車両用視界確保装置は、車両の限界余裕が十分にあるときに前記死角抑制制御が行われる。
【００１１】
この車両用視界確保装置では、車両の限界余裕が十分にあるときにのみ死角抑制制御が行われるので、車両走行時の安全性が確保される利点がある。
【００１２】
また、この発明にかかる車両用視界確保装置は、ドライバーが脇見運転をしていないと判断されるときに、前記死角抑制制御が行われる。
【００１３】
この車両用視界確保装置では、ドライバーが脇見運転をしていないと判断されるときに死角抑制制御が行われるので、死角抑制制御が適正に行われる利点がある。
【００１４】
また、この発明にかかる車両用視界確保装置は、ドライバーの視線角度φの変化率が所定の閾値以下であり、且つ、ステアリングの操舵角の変化率が所定の閾値以下であるときに、前記死角抑制制御が行われる。
【００１５】
この車両用視界確保装置では、視線角度φの変化率が小さく、且つ、操舵角θの変化率が小さいときに、死角抑制制御が行われる。これにより、死角抑制制御が適正に行われる利点がある。
【００１６】
また、この発明にかかる車両用視界確保装置は、前記死角抑制制御時にてドライバーが脇見運転を行った場合にも、前記死角抑制制御が継続される。
【００１７】
この車両用視界確保装置では、死角抑制制御時にて、この制御がドライバーの脇見運転に影響されることなく継続されるので、安全確認などの脇見運転時における車体角度ΔＸの変化が抑制される。これにより、車体角度ΔＸの変化によるドライバーＤの違和感が低減される利点がある。
【００１８】
また、この発明にかかる車両用視界確保装置は、前記死角抑制制御の終了後に車体角度ΔＸが徐々に原点位置に戻される。
【００１９】
この車両用視界確保装置では、死角抑制制御の終了後に車体角度が急速に原点位置に戻される構成と比較して、車体角度ΔＸの変化によるドライバーの違和感が低減される利点がある。
【００２０】
また、この発明にかかる車両用視界確保装置は、ステアリングの操舵角速度ｄθ／ｄｔが所定の閾値以上となると車体角度ΔＸが略一定に維持される。
【００２１】
この車両用視界確保装置では、ステアリングの操舵角速度が速いときには、車体の復帰速度が一定に維持される。これにより、操舵速度が速いときにおける車体の向きの急変が抑制されるので、旋回時における車両走行の安全性が高められる利点がある。
【発明の効果】
【００２２】
この発明にかかる車両用視界確保装置では、ドライバーの視認方向に死角領域が位置しないように、車体角度ΔＸが制御される。これにより、車両の旋回時にて、死角領域がドライバーに与える影響が低減されるので、ドライバーの視界が確保されて、歩行者や対向車などに対する安全確認が容易となる利点がある。
【発明を実施するための最良の形態】
【００２３】
以下、この発明につき図面を参照しつつ詳細に説明する。なお、この実施例によりこの発明が限定されるものではない。また、この実施例の構成要素には、当業者が置換可能かつ容易なもの、或いは実質的同一のものが含まれる。また、この実施例に記載された複数の変形例は、当業者自明の範囲内にて任意に組み合わせが可能である。
【実施例】
【００２４】
図１は、この発明の実施例にかかる車両用視界確保装置を示すブロック図である。図２〜図６は、図１に記載した車両用視界確保装置の作用を示すフローチャート（図２および図５）ならびに説明図（図３、図４および図６）である。
【００２５】
［車両用視界確保装置］
車両用視界確保装置１は、車両１０の旋回時にて死角領域Ａが発生するときに、この死角領域ＡがドライバーＤに与える影響を低減することにより、ドライバーＤの視界を確保する装置である。この車両用視界確保装置１は、車体角度制御手段２と、視線角度検出手段３と、操舵角検出手段４と、車両速度検出手段５と、ＥＣＵ（Electronic Control Unit）６とを有する（図１参照）。車体角度制御手段２は、車体１１を駆動してシャシーに対する車体角度ΔＸを制御する手段である。この車体角度制御手段２には、例えば、４ＷＳ（４ Wheel Steering）機構が採用される。かかる４ＷＳ機構では、車両１０の旋回時にて車両１０の旋回軌跡に影響を与えることなく、車体１１の向き（車体角度ΔＸ）をシャシーに対して独立して変更できる（図６参照）。視線角度検出手段３は、ドライバーＤの視線方向に基づいてドライバーＤの視線角度φを検出する。この視線角度検出手段３は、例えば、ＣＣＤカメラ（Charge Coupled Device）により構成され、運転席の前方からドライバーＤの顔を撮像する。操舵角検出手段４は、ステアリングの操舵角θを検出するための舵角センサである。車両速度検出手段５は、車両１０の走行速度Ｖを検出するための速度センサである。ＥＣＵ６は、死角領域ＡがドライバーＤに与える影響を低減するための制御（死角状態判定、死角抑制制御、復帰判定など）を行う。
【００２６】
この車両用視界確保装置１では、車両１０の旋回時にてドライバーＤの視界を確保するために、以下の制御が行われる（図２参照）。まず、車両１０の旋回開始時にて、車両１０の操舵方向、ドライバーＤの視線角度φおよび走行速度Ｖが検出される（ＳＴ１）。具体的には、操舵角検出手段４がステアリングの操舵角θを検出して操舵角信号をＥＣＵ６に出力する。また、視線角度検出手段３がドライバーＤの顔を前方から撮像して、その画像信号をＥＣＵ６に出力する。そして、この画像信号に基づいて、ＥＣＵ６が画像処理を行い、ドライバーＤの顔向きおよび眼球の向き（眼球のセンター方向からのズレ）に関する情報を取得する。そして、この情報に基づいて、ＥＣＵ６がドライバーＤの視線方向と車体１１の向きとの傾斜角をドライバーＤの視線角度φとして算出する（図３参照）。また、車両速度検出手段５が車両１０の走行速度Ｖを検出して速度信号をＥＣＵ６に出力する。
【００２７】
次に、上記の情報に基づいて、ＥＣＵ６が死角状態判定（ＳＴ２）を行う。この死角状態判定では、ドライバーＤの視線角度φが所定の死角領域Ａ内にあるか否かが判定される。すなわち、ドライバーＤの視認方向に死角領域Ａがあり、ドライバーＤの視認が死角領域Ａにより阻害されているか否かが判定される。例えば、この実施例では、死角領域Ａが左右のピラー１２、１２の設置範囲により規定される（図３参照）。そして、この死角領域Ａと車両１０の操舵方向にかかるドライバーＤの視線角度φとが比較される。そして、ドライバーＤの視線角度φがピラーの設置範囲内にある（ａ１≦φ≦ａ２あるいはｂ１≦φ≦ｂ２）ときに、ドライバーＤの視線角度φと死角領域Ａとが重なっていると判断される。
【００２８】
死角状態判定（ＳＴ２）にて、ドライバーＤの視線角度φが所定の死角領域Ａ内にある場合には、ＥＣＵ６が所定の指示信号（死角抑制制御の指示信号）を車体角度制御手段２に出力する。車体角度制御手段２は、この指示信号により死角抑制制御を行う（ＳＴ３）。この死角抑制制御は、死角領域ＡがドライバーＤに与える影響を低減するための制御である。死角抑制制御では、車両の旋回時にてドライバーＤの視線角度φと死角領域Ａとが重ならないように（視線角度φが死角領域Ａから外れるように）、シャシーに対する車体１１の向き（車体角度ΔＸ）が変更される（図４参照）。このとき、車体１１がシャシーに対して独立して駆動され、車両１０の進行方向（旋回軌跡）は、そのまま維持される。
【００２９】
その後に、車体１１の向きを死角抑制制御前の位置に復帰させるための復帰判定が行われる（ＳＴ４）。そして、所定の復帰条件が満たされている場合には、復帰処理（ＳＴ５）が開始されて車体角度ΔＸがΔＸ＝０に戻される。また、復帰条件が満たされていない場合には、死角抑制制御（ＳＴ３）が継続される。
【００３０】
なお、死角状態判定（ＳＴ２）にて、ドライバーＤの視線角度φが死角領域Ａ内にない場合には、ドライバーＤの視野が確保されているので、通常時の４ＷＳ制御が行われる（ＳＴ６）。
【００３１】
以上説明したように、この車両用視界確保装置１では、車両１０の旋回時にて、ドライバーＤの視線角度φが車両１０の旋回方向に発生する所定の死角領域Ａから外れるように、車体角度制御手段２が車体角度ΔＸを制御する（図３および図４参照）。すなわち、ドライバーＤの視認方向に死角領域Ａが位置しないように、車体角度ΔＸが制御される。これにより、車両１０の旋回時にて、死角領域ＡがドライバーＤに与える影響を低減できるので、ドライバーＤの視界が確保されて、歩行者や対向車などに対する安全確認が容易となる利点がある。また、車両１０の旋回軌跡が死角抑制制御による影響を受けずに維持されるので、車両１０の適正な走行が確保される利点がある。
【００３２】
［死角状態判定］
なお、この車両用視界確保装置１では、上記の死角状態判定（ＳＴ２）にて、複数の判定条件（ＳＴ２１〜ＳＴ２４）の具備が判断される（図５参照）。そして、これらの条件が満たされる場合に、ＥＣＵ６が死角抑制制御の指示信号を出力して（ＳＴ２５）、死角抑制制御が行われる（ＳＴ３）。
【００３３】
死角状態判定では、まず、ドライバーＤの視線角度φが所定の死角領域Ａ内にある（ａ１≦φ≦ａ２あるいはｂ１≦φ≦ｂ２）か否かが判断される（ＳＴ２１）。そして、ドライバーＤの視線角度φが所定の死角領域Ａ内にある場合には、死角状態判定が継続される。一方、視線角度φが死角領域Ａ内にない場合には、死角状態判定が中止される。この場合には、死角抑制制御（ＳＴ３）の指示信号が出力されず、通常の４ＷＳ制御（ＳＴ６）が行われる（図２および図５参照）。
【００３４】
次に、ドライバーＤの視線角度φが所定の死角領域Ａ内にある場合には、死角時間判定が行われる（ＳＴ２２）。この死角時間判定では、ドライバーＤの視線角度φが死角領域Ａ内にある時間（死角時間）の長さが推定され、この死角時間の長さに応じて死角抑制制御（ＳＴ３）を行うか否かが判断される。すなわち、この死角時間が長いほどドライバーＤの視認方向が死角領域Ａによって阻害されるため、積極的に死角抑制制御を行う必要性がある。逆に、死角時間が短い場合には、死角抑制制御を行う必要性が少ない。そこで、死角時間が長いと判断された場合には、死角状態判定が継続されて、死角抑制制御を行うための処理が進められる（図５参照）。一方、死角時間が短いと判断された場合には、死角状態判定が中止されて、通常の４ＷＳ制御（ＳＴ６）が行われる（図２および図５参照）。
【００３５】
ここで、上記の死角時間は、任意の算出方法により推定され得る。例えば、この実施例では、死角時間が操舵角速度ｄθ／ｄｔに基づいて推定される。具体的には、ステアリングの操舵角速度ｄθ／ｄｔが所定の閾値よりも小さいときに、死角時間が長いと判断される。すなわち、操舵角速度ｄθ／ｄｔが小さいときは、車両１０がゆっくりと旋回するため、ドライバーＤの視線角度φと死角領域Ａとの一致時間が長い。このため、死角時間が長くなるので、死角抑制制御の必要性が増加する。一方、操舵角速度ｄθ／ｄｔが所定の閾値よりも大きいときは、死角時間が短いと判断される。すなわち、操舵角速度ｄθ／ｄｔが大きいときは、車両１０が素早く旋回するため、ドライバーＤの視線角度φと死角領域Ａとの一致時間が短い。このため、死角時間が短くなるので、死角抑制制御の必要性が少ない。
【００３６】
したがって、この実施例では、操舵角速度ｄθ／ｄｔが所定の閾値よりも小さいときにのみ、死角状態判定が継続される（ＳＴ２２）。かかる構成では、死角時間が長いときにのみ車体角度ΔＸが変更されて死角抑制制御が行われるので、死角抑制制御が適正に行われる利点がある。例えば、死角時間が短いときに死角抑制制御が行われると、車体角度の変更によりピラーの前後で車両の挙動が変化したように見えるため、ドライバーＤが違和感を感じるおそれがある。
【００３７】
次に、死角時間が長いと判断された場合には、限界余裕判定が行われる（ＳＴ２３）。この限界余裕判定では、車両１０の走行速度Ｖ、ステアリングの操舵角θ、走行路の路面状況などに基づいて、車両１０の限界余裕が十分にあるか否かが判断される。そして、限界余裕が十分にあると判断された場合には、死角状態判定が継続されて、死角抑制制御（ＳＴ３）を行うための処理が進められる。一方、限界余裕が十分でない（車両限界に近い）と判断された場合には、死角状態判定が中止されて、通常の４ＷＳ制御（ＳＴ６）が行われる（図２および図５参照）。例えば、高速走行時にて大舵角で操舵が行われている状況や走行路の摩擦係数が低い状況では、限界余裕がないと判断される。
【００３８】
かかる構成では、車両１０の限界余裕が十分にあるときにのみ死角抑制制御（ＳＴ３）が行われるので、車両走行時の安全性が確保される利点がある。例えば、車両１０の限界余裕が不十分なときに死角抑制制御が行われて車体角度が変化すると、ドライバーが車両の限界と錯覚して修正操舵を行い、車両の挙動が乱れるおそれがある。
【００３９】
次に、車両１０の限界余裕が十分にある場合には、脇見運転判定が行われる（ＳＴ２４）。この脇見運転判定では、ドライバーＤの視線角度φ、ステアリングの操舵角θなどに基づいて、ドライバーＤが脇見運転をしているか否かが判断される。そして、ドライバーＤが脇見運転をしていないと判断された場合には、死角状態判定が継続されて、死角抑制制御（ＳＴ３）を行うための処理が進められる。一方、ドライバーＤが脇見運転をしていると判断された場合には、死角状態判定が中止されて、通常の４ＷＳ制御（ＳＴ６）が行われる（図２および図５参照）。
【００４０】
かかる構成では、ドライバーＤが脇見運転をしていないと判断されるときにのみ死角抑制制御（ＳＴ３）が行われるので、死角抑制制御が適正に行われる利点がある。例えば、ドライバーＤが周囲の景色に気を取られて短時間の脇見を行っている場合や車両１０の右左折時にてウィンカーを出すために安全確認を行っている場合などには、死角が発生しないため、死角抑制制御が不要となる。また、このような場合に死角抑制制御が行われると、車体角度の変更によりピラーの前後で車両の挙動が変化したように見えるため、ドライバーＤが違和感を感じるおそれがある。
【００４１】
例えば、この実施例では、ドライバーＤの視線角度φの変化率（ｄφ／ｄｔ）が所定の閾値以下であり、且つ、ステアリングの操舵角θの変化率（ｄθ／ｄｔ）が所定の閾値以下であるときに、死角状態判定が継続されて、死角抑制制御（ＳＴ３）を行うための処理が進められる。すなわち、ドライバーＤの視線角度φが略固定されており（視線角度φの変化率が小さく）、且つ、車両１０の操舵がゆっくりと行われている（操舵角θの変化率が小さい）ときに、死角抑制制御が行われる。これにより、死角抑制制御が適正に行われる利点がある。例えば、視線角度φの変化率が大きいときは、ドライバーＤの視認方向の移り変わりが速いため、死角が発生し難い。また、操舵角θの変化率が大きいときも、周囲の景色の移り変わりが速いため、死角が発生し難い。したがって、これらの場合には、死角による影響が少ないため、死角抑制制御が行われない。
【００４２】
［死角抑制制御時の脇見］
また、この車両用視界確保装置１では、上記の死角抑制制御（ＳＴ３）時にてドライバーＤが脇見運転を行った場合にも、死角抑制制御が継続されることが好ましい。すなわち、死角抑制制御時には、ドライバーＤの視線角度φと死角領域Ａとが重ならないように、車体角度制御手段２が車体角度ΔＸを変化させる。このとき、ドライバーＤが安全確認などのために脇見運転をしたとしても、この車体角度ΔＸに関する制御状態が維持される。
【００４３】
かかる構成では、死角抑制制御時にて、この制御がドライバーＤの脇見運転に影響されることなく継続されるので、安全確認などの脇見運転時における車体角度ΔＸの変化が抑制される。これにより、車体角度ΔＸの変化によるドライバーＤの違和感が低減される利点がある。例えば、安全確認時にて、ドライバーＤの視認方向に対応して死角抑制制御が行われるとすると、ドライバーが違和感を感じるため好ましくない。なお、脇見運転か否かの判断は、例えば、死角状態判定（ＳＴ２）における脇見運転判定（ＳＴ２４）の判断基準が用いられる。
【００４４】
［復帰処理における除変制御］
また、この車両用視界確保装置１では、上記の復帰処理（ＳＴ５）にて、車体角度ΔＸが徐々に原点位置（ΔＸ＝０）に戻されることが好ましい。すなわち、死角抑制制御（ＳＴ３）の終了後に、車体１１がゆっくりと元の位置に戻される（車体角度の除変制御）。かかる構成では、死角抑制制御の終了後に車体角度が急速に原点位置に戻される構成と比較して、車体角度ΔＸの変化によるドライバーＤの違和感が低減される利点がある。
【００４５】
また、上記の構成では、ステアリングの操舵角速度ｄθ／ｄｔが所定の閾値（ｄθ／ｄｔ＝ａ）以上となったときに、車体角度ΔＸの除変量が略一定（ｂ）に維持されることが好ましい（図６参照）。すなわち、ステアリングの操舵角速度が速いときには、車体１１の復帰速度が一定に維持される。これにより、操舵速度が速いときにおける車体１１の向きの急変が抑制されるので、旋回時における車両走行の安全性が高められる利点がある。
【００４６】
［補足事項］
なお、この実施例では、車体角度ΔＸが以下の算出式により規定される。
【数１】
2008195162.tif 000003
…（１）
【数２】
2008195162.tif 000004
…（２）
これらの算出式（１）、（２）では、θがステアリングの操舵角、θｆが前輪ステア角、ｍが車体１１の重量、ｌｒが車体１１の重心から前輪軸までの長さ、ｌがホイールベース、Ｋｆがフロントコーナリングパワー、ΔＸが車体スリップ角、Ｉｓが慣性モーメント、γがヨーレート、θｒが後輪ステア角、ｌｆが車体１１の重心から後輪軸までの長さ、Ｋｒがリアコーナリングパワー、ｓがラプラス演算子である。
【００４７】
ここで、車両１０の走行軌跡を変更することなく車体角度ΔＸのみを変化させるには、ステアリングの操舵角θ、車両速度Ｖおよびヨーレートγが一定であることが条件となる。したがって、かかる条件と上記の算出式（１）、（２）とに基づいて、車体角度ΔＸ、前輪ステア角θｆおよび後輪ステア角θｒに関する算出式（３）、（４）が得られる。
【数３】
2008195162.tif 000005
…（３）
【数４】
2008195162.tif 000006
…（４）
なお、Ｃ１〜Ｃ４は、定数である。また、これらの算出式（１）〜（４）は、安部正人著「自動車の運動と制御」（山海堂）の８．４  前後輪アクティブ操舵制御に詳しい。
【産業上の利用可能性】
【００４８】
以上のように、本発明にかかる車両用視界確保装置は、車両の旋回時にて、死角領域がドライバーに与える影響を低減することにより、ドライバーの視界を確保できる点で有用である。
【図面の簡単な説明】
【００４９】
【図１】この発明の実施例にかかる車両用視界確保装置を示すブロック図である。
【図２】図１に記載した車両用視界確保装置の作用を示すフローチャートである。
【図３】図１に記載した車両用視界確保装置の作用を示す説明図である。
【図４】図１に記載した車両用視界確保装置の作用を示す説明図である。
【図５】図１に記載した車両用視界確保装置の作用を示すフローチャートである。
【図６】図１に記載した車両用視界確保装置の作用を示す説明図である。
【符号の説明】
【００５０】
１    車両用視界確保装置
２    車体角度制御手段
３    視線角度検出手段
４    操舵角検出手段
５    車両速度検出手段
１０  車両
１１  車体
１２  ピラー
【図１】
2008195162.tif 000007
【図２】
2008195162.tif 000008
【図３】
2008195162.tif 000009
【図４】
2008195162.tif 000010
【図５】
2008195162.tif 000011
【図６】
2008195162.tif 000012